(57)【要約】      （修正有）【課題】コンテンツ再生装置に接続済みの端末のグループへの参加を認証するコンテンツ再生システムであって、煩雑な操作を不要としながらも機密性がより高いコンテンツ再生システムを提供する。【解決手段】スマートフォン３０１は、ＡＶレシーバ１００に接続すると、記憶部６１に記憶される認証用音声データをＡＶレシーバ１００の再生部５１に再生させる。スマートフォン３０２のユーザは、スピーカから出力された認証用音声データの音を、スマートフォン３０２のマイクに収音させる操作を行う。スマートフォン３０２は、収音された音を照合用音声データとしてＡＶレシーバ１００へ送信する。ＡＶレシーバ１００の認証部５２は、音の解析技術を用いて、これら音声データが合致するか否かを判断する。認証部５２は、両音声データが合致する場合、スマートフォン３０２のグループの参加を許可する。【選択図】図３
2017092582.tif 000002
【特許請求の範囲】
【請求項１】
第１利用者端末と、第２利用者端末と、前記第１利用者端末に接続されたコンテンツ再生装置と、を備えるコンテンツ再生システムであって、
前記第１利用者端末は、
コンテンツを保有するコンテンツ保有部と、
前記コンテンツ保有部が保有するコンテンツのうち、認証用コンテンツを前記コンテンツ再生装置へ送信するコンテンツ送信部と、
を有し、
前記コンテンツ再生装置は、
前記コンテンツ送信部が送信する認証用コンテンツと、前記第２利用者端末が送信する照合用コンテンツと、を受信するコンテンツ受信部と、
自装置に接続しようとする端末の、自装置に接続済みの端末のグループへの参加を認証する認証部と、
前記コンテンツ再生装置は、前記認証用コンテンツを再生するコンテンツ再生部と、
を有し、
前記第２利用者端末は、
再生された認証用コンテンツに対して撮像及び収音のうちの少なくとも一方を行うことで照合用コンテンツを生成するコンテンツ生成部と、
前記コンテンツ生成部が生成した照合用コンテンツを前記コンテンツ再生装置へ送信する照合情報送信部と、
を有し、
前記認証部は、前記コンテンツ受信部が受信した認証用コンテンツと照合用コンテンツとが合致する場合、前記第２利用者端末の前記グループへの参加を認証する、
コンテンツ再生システム。
【請求項２】
前記第１利用者端末は、前記認証用コンテンツを再生する端末側再生部を有し、
前記第２利用者端末のコンテンツ生成部は、前記端末側再生部が再生する認証用コンテンツに対して、撮像及び収音のうちの少なくとも一方を行う、
請求項１に記載のコンテンツ再生システム。
【請求項３】
前記第１利用者端末は、前記第１利用者端末の周囲環境に対して撮像及び収音の少なくとも一方を行うことで認証用コンテンツを取得し、取得した認証用コンテンツを前記コンテンツ保有部に保有させるコンテンツ取得部を有し、
前記第２利用者端末の前記コンテンツ生成部は、前記第２利用者端末の周囲環境に対して撮像及び収音の少なくとも一方を行うことで照合用コンテンツを生成する、
請求項１または２に記載のコンテンツ再生システム。
【発明の詳細な説明】
【技術分野】
【０００１】
本発明は、コンテンツ再生装置に接続済みの端末のグループへの参加を認証する技術に関する。
【背景技術】
【０００２】
特許文献１には、コンテンツとして楽曲データを記憶する３台のソース機器と、シンク機器（コンテンツ再生装置）とからなるコンテンツ再生システムが開示されている。特許文献１に開示されたコンテンツ再生装置は、各ソース機器に接続される。特許文献１に開示されたコンテンツ再生装置は、各ソース機器から受信したコンテンツを再生する。
【０００３】
また、特許文献２には、Ｂｌｕｅｔｏｏｔｈ（登録商標）規格の接続を用いたネットワークに関する認証技術が開示されている。このネットワークは、複数のスレーブ端末が１台のマスター端末に接続されることで形成されている。
【０００４】
特許文献２に開示されたネットワークでは、未接続のスレーブ端末は、パスキーが入力されると、マスター端末に接続される。すなわち、未接続のスレーブ端末は、パスキーが入力されると、マスター端末に接続済みのスレーブ端末のグループに参加することが認証される。
【先行技術文献】
【特許文献】
【０００５】
【特許文献１】国際公開第２０１２／１１７４５２号パンフレット
【特許文献２】特開２０１２−３３６１６７号公報
【発明の概要】
【発明が解決しようとする課題】
【０００６】
しかしながら、特許文献１に開示されたコンテンツ再生システムは、仮に特許文献２に開示された認証技術を用いてコンテンツ再生装置に接続済みの端末のグループを形成する場合、次の問題を有する。
【０００７】
Ｂｌｕｅｔｏｏｔｈ（登録商標）規格のパスキーは、一般的に４桁の数字であるので、機密性が低い。一方で、機密性を高くするためにパスキーの桁数を多くすると、入力操作は煩わしくなる。
【０００８】
そこで、本発明の目的は、コンテンツ再生装置に接続済みの端末のグループへの参加の認証に対し、煩雑な操作を不要としながらも機密性がより高いコンテンツ再生システムを提供することにある。
【課題を解決するための手段】
【０００９】
本発明のコンテンツ再生システムは、第１利用者端末と、第２利用者端末と、前記第１利用者端末に接続されたコンテンツ再生装置と、を備える。
【００１０】
前記第１利用者端末は、コンテンツを保有するコンテンツ保有部と、前記コンテンツ保有部が保有するコンテンツのうち、認証用コンテンツを前記コンテンツ再生装置へ送信するコンテンツ送信部と、を有する。
【００１１】
前記コンテンツ再生装置は、前記コンテンツ送信部が送信する認証用コンテンツと、前記第２利用者端末が送信する照合用コンテンツと、を受信するコンテンツ受信部と、自装置に接続しようとする端末の、自装置に接続済みの端末のグループへの参加を認証する認証部と、を有する。
【００１２】
前記コンテンツ再生装置は、前記認証用コンテンツを再生するコンテンツ再生部を有する。
【００１３】
前記第２利用者端末は、再生された認証用コンテンツに対して撮像及び収音のうちの少なくとも一方を行うことで照合用コンテンツを生成するコンテンツ生成部と、前記コンテンツ生成部が生成した照合用コンテンツを前記コンテンツ再生装置へ送信する照合情報送信部と、を有する。
【００１４】
前記認証部は、前記コンテンツ受信部が受信した認証用コンテンツと照合用コンテンツとが合致する場合、前記第２利用者端末の前記グループへの参加を認証する。
【００１５】
本発明のコンテンツ再生システムは、コンテンツを認証用のキーとして用いる。コンテンツは、４桁のパスキーより情報量が多いので、キーとして用いることで機密性が高い。
【００１６】
また、照合用コンテンツは、認証用コンテンツの再生環境において生成される。換言すれば、照合用コンテンツは、当該再生環境に存在しない利用者端末によって生成されることがない。従って、本発明のコンテンツ再生システムは、当該再生環境に存在しない利用者端末がグループに参加することを防止することで、機密性を高くすることができる。
【００１７】
例えば、第２利用者端末のユーザは、機密性の高いキーである照合用コンテンツを取得するために、撮像及び収音のうちの少なくとも一方を指示する操作をするだけでよい。例えば、第２利用者端末のユーザは、録音ボタンを１０秒間押下するだけで、照合用の音声データを第２利用者端末に生成させることができる。ただし、この操作は本発明に必須ではない。従って、第２利用者端末のユーザは、操作なしに照合用コンテンツを第２利用者端末に生成させることもできる。
【００１８】
以上のように、本発明のコンテンツ再生システムは、コンテンツ再生装置に接続済みの端末のグループへの参加の認証に対し、煩雑な操作を不要としながらも機密性をより高くすることができる。
【００１９】
また、認証用コンテンツは、コンテンツ再生装置に接続済みの第１利用者端末によって再生されてもよい。すなわち、第２利用者端末は、第１利用者端末が再生する認証用コンテンツに対して撮像及び収音の少なくとも一方を行うことで、照合用コンテンツを生成してもよい。
【００２０】
また、コンテンツ再生システムは、以下のように構成されてもよい。前記第１利用者端末は、前記第１利用者端末の周囲環境に対して撮像及び収音の少なくとも一方を行うことで認証用コンテンツを取得し、取得した認証用コンテンツを前記コンテンツ保有部に保有させるコンテンツ取得部を有する。前記第２利用者端末の前記コンテンツ生成部は、前記第２利用者端末の周囲環境に対して撮像及び収音の少なくとも一方を行うことで照合用コンテンツを生成する。
【００２１】
この態様では、第２利用者端末は、第１利用者端末と同じ環境に存在すれば、認証用コンテンツと類似する照合用コンテンツを生成することができる。従って、この態様では、コンテンツ再生システムは、第１利用者端末と異なる環境に存在する利用者端末がグループに参加することを防止するので、機密性を高くすることができる。
【発明の効果】
【００２２】
本発明によれば、コンテンツ再生装置に接続済みの端末のグループへの参加の認証に対し、煩雑な操作を不要としながらも機密性をより高くすることができる。
【図面の簡単な説明】
【００２３】
【図１】実施形態１に係るコンテンツ再生システムの概要を説明するための図である。
【図２】（Ａ）は、スマートフォンの構成の一部を示すハードウェアブロック図であり、（Ｂ）は、ＡＶレシーバの構成の一部を示すハードウェアブロック図である。
【図３】コンテンツ再生システムの構成の一部を示す機能ブロック図である。
【図４】コンテンツ再生システムの動作を示すフローチャートである。
【図５】実施形態１に係るコンテンツ再生システムの動作の変形例１に係るコンテンツ再生システムの概要を説明するための図である。
【図６】変形例１に係る動作を説明するためのフローチャートである。
【図７】変形例２に係る動作を説明するためのフローチャートである。
【図８】変形例３に係る動作を説明するためのフローチャートである。
【図９】実施形態２に係るコンテンツ再生システムのスマートフォンの構成の一部を示すハードウェアブロック図である。
【図１０】実施形態３に係るコンテンツ再生システムの概要を説明するための図である。
【図１１】実施形態３に係るコンテンツ再生システムの認証情報装置の構成の一部を示すハードウェアブロック図である。
【発明を実施するための形態】
【００２４】
実施形態１に係るコンテンツ再生システム９００について、図１、図２（Ａ）、図２（Ｂ）、及び図３を用いて説明する。図１は、コンテンツ再生システム９００の概要を説明するための図である。図２（Ａ）は、スマートフォン３０１の構成の一部を示すハードウェアブロック図であり、図２（Ｂ）は、ＡＶレシーバ１００の構成の一部を示すハードウェアブロック図である。図３は、コンテンツ再生システム９００の構成の一部を示す機能ブロック図である。
【００２５】
図１に示すように、コンテンツ再生システム９００は、ＡＶレシーバ１００と、２台のスピーカ２００Ｌ及びスピーカ２００Ｒと、テレビ２１０と、３台のスマートフォン３０１、スマートフォン３０２及びスマートフォン３０３と、を備えている。
【００２６】
ＡＶレシーバ１００は、本発明のコンテンツ再生装置に相当する。本実施形態では、スマートフォン３０１は、第１利用者端末に相当する。スマートフォン３０２及びスマートフォン３０３は、それぞれ第２利用者端末に相当する。ただし、本発明のコンテンツ再生装置は、オーディオプレーヤ及びヘッドフォン型プレーヤ等であっても構わない。また、第１利用者端末及び第２利用者端末は、電話機能を有さない音楽端末及びウェアラブル端末であっても構わない。以下、スマートフォン３０１、スマートフォン３０２及びスマートフォン３０３をスマートフォン３０１〜３０３と省略して説明する場合がある。
【００２７】
コンテンツ再生システム９００は、ＡＶレシーバ１００に接続済みの端末のグループを管理する。スマートフォン３０１は、予めＡＶレシーバ１００に接続されている。すなわち、スマートフォン３０１は、当該グループに最初に参加している。スマートフォン３０２及びスマートフォン３０３は、ＡＶレシーバ１００が認証すると、当該グループに参加する。グループに参加したスマートフォン３０１〜３０３は、保有するコンテンツを他のスマートフォンと共有し、共有したコンテンツをＡＶレシーバ１００に再生させる。
【００２８】
本実施形態に係るコンテンツ再生システム９００は、ＡＶレシーバ１００に接続済みの端末のグループへの参加の認証に対し、煩雑な操作を不要としながらも機密性をより高めたものである。
【００２９】
次に、コンテンツ再生システム９００の構成について説明する。図２（Ａ）に示すように、スマートフォン３０１は、タッチパネル３１と、ディスプレイ３２と、プロセッサ３３と、メモリ３４と、無線モジュール３５と、カメラ３６と、マイク３７と、スピーカ３８とを備えている。各構成は共通のＢＵＳに接続されている。なお、スマートフォン３０１の電話機能を実現する構成の説明は省略する。
【００３０】
スマートフォン３０１のプロセッサ３３は、他の各構成を統括的に制御する。無線モジュール３５は、Ｂｌｕｅｔｏｏｔｈ（登録商標）規格及びＷｉ−Ｆｉ（登録商標）規格等の無線通信によって情報を送受信する。タッチパネル３１は、ユーザからの操作入力を受け付ける。スマートフォン３０１は、タッチパネル３１とディスプレイ３２とでＧＵＩ（Ｇｒａｐｈｉｃａｌ  Ｕｓｅｒ  Ｉｎｔｅｒｆａｃｅ）を実現する。カメラ３６は、スマートフォン３０１の周囲の静止画を撮像する。ただし、カメラ３６は、動画を撮影してもよい。マイク３７は、スマートフォン３０１の周囲の音を収音する。スピーカ３８は、スマートフォン３０１の周囲へ音を出力する。
【００３１】
メモリ３４は、複数のコンテンツを記憶する。また、メモリ３４は、プログラムを記憶している。メモリ３４に記憶されるプログラムは、プロセッサ３３によって実行される。
【００３２】
スマートフォン３０２及びスマートフォン３０３は、それぞれスマートフォン３０１の構成と同様のハードウェア構成を備える。
【００３３】
図２（Ｂ）に示すように、ＡＶレシーバ１００は、ＣＰＵ（Ｃｅｎｔｒａｌ  Ｐｒｏｃｅｓｓｉｎｇ  Ｕｎｉｔ）１と、メモリ２と、ＤＳＰ（Ｄｉｇｉｔａｌ  Ｓｉｇｎａｌ  Ｐｒｏｃｅｓｓｏｒ）３と、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ（ＨＤＭＩは登録商標））４と、無線モジュール５と、ＡＭＰ（Ａｍｐｌｉｆｉｅｒ）６と、を備える。各構成は、共通のＢＵＳに接続されている。
【００３４】
ＤＳＰ３は、コンテンツに含まれる音声データに対する各種音響処理のためのプロセッサである。ＨＤＭＩ４は、コンテンツデータを送受信するためのインターフェースである。ＨＤＭＩ４は、テレビ２１０に接続されている。無線モジュール５は、Ｂｌｕｅｔｏｏｔｈ（登録商標）規格及びＷｉ−Ｆｉ（登録商標）規格等の無線通信で情報を送受信する。ＡＭＰ６は、音声信号を増幅する回路である。ＡＭＰ６によって増幅された音声信号は、スピーカ２００Ｌ及びスピーカ２００Ｒへ出力される。メモリ２は、プログラムを記憶している。ＣＰＵ１は、メモリ２からプログラムを読み出し、読み出したプログラムを実行する。
【００３５】
スマートフォン３０１〜３０３によるプログラムの実行と、ＡＶレシーバ１００によるプログラムの実行とは、図３に示す各種機能部を実現する。
【００３６】
図３に示すように、スマートフォン３０１は、取得部６０と、記憶部６１と、送信部６２とを機能部として備えている。記憶部６１は、本発明のコンテンツ保有部の一部に対応する。取得部６０及び記憶部６１は、プロセッサ３３とメモリ３４とで実現されている。送信部６２は、プロセッサ３３とメモリ３４と無線モジュール３５とで実現されている。
【００３７】
スマートフォン３０２は、送信部７０と、生成部７１と、受信部７２と、を機能部として備えている。送信部７０及び受信部７２は、プロセッサ３３とメモリ３４と無線モジュール３５とで実現されている。生成部７１は、カメラ３６と、マイク３７と、プロセッサ３３と、メモリ３４とで実現されている。
【００３８】
図示は省略するが、スマートフォン３０３も、スマートフォン３０２の各機能部と同様の機能部を備えている。
【００３９】
図３に示すように、ＡＶレシーバ１００は、受信部５０と、再生部５１と、認証部５２と、送信部５３とを機能部として備えている。受信部５０及び送信部５３は、ＣＰＵ１とメモリ２と無線モジュール５とで実現されている。再生部５１は、メモリ２と、ＤＳＰ３と、ＨＤＭＩ４と、ＡＭＰ６とで実現されている。認証部５２は、ＣＰＵ１と、メモリ２とで実現されている。
【００４０】
これら機能部の動作について、図４を用いて説明する。図４は、コンテンツ再生システム９００の動作を示すフローチャートである。ただし、スマートフォン３０３の動作は、スマートフォン３０２の動作と同じであるので、説明を省略する。また、ＡＶレシーバ１００は、図４に示す動作の前に、いずれのスマートフォンとも接続されていないものとする。また、スマートフォン３０２及びスマートフォン３０３は、ＡＶレシーバ１００の再生環境に存在するものとする。すなわち、スマートフォン３０２及びスマートフォン３０３は、テレビ２１０の表示内容が撮像でき、かつスピーカ２００Ｌ，２００Ｒの音が収音できる範囲に存在するものとする。
【００４１】
図４に示すように、まず、スマートフォン３０１とＡＶレシーバ１００とは接続の確立を行い、ＡＶレシーバ１００に接続済みの端末のグループを作成する（Ｓ１１）。ステップＳ１１では、スマートフォン３０１は、当該グループに参加する最初の端末となる。ＡＶレシーバ１００は、スマートフォン３０１の識別情報（例えばネットワークアドレス）をメモリ２に記憶することで、グループの情報を管理する。なお、グループに最初に参加する際の認証は、例えばパスワードを用いる。
【００４２】
次に、スマートフォン３０１は、認証用コンテンツをＡＶレシーバ１００へ送信する（Ｓ１２）。具体的には、スマートフォン３０１の各機能部は以下のように動作する。
【００４３】
記憶部６１は、複数のコンテンツとして、複数の音声データ（例えばＭＰ３規格の楽曲データ）を記憶している。複数の音声データには、認証用コンテンツとしての認証用音声データが含まれている。この認証用音声データの再生時間は、例えば１０秒間である。この認証用音声データは、ＡＶレシーバ１００に接続済みの端末のグループへの参加の認証に用いられる。
【００４４】
取得部６０は、記憶部６１を参照することで、認証用音声データを取得する。取得部６０は、取得した認証用音声データを送信部６２へ出力する。送信部６２は、入力された認証用音声データをＡＶレシーバ１００へ送信する。ただし、取得部６０は、スマートフォン３０１と異なる装置（例えばインターネットに接続された情報処理装置）から認証用音声データを取得してもよい。すなわち、スマートフォン３０１は、自装置又は他装置において音声データを保有していればよい。
【００４５】
ＡＶレシーバ１００は、スマートフォン３０１から認証用音声データを受信する（Ｓ２１）。すなわち、受信部５０は、スマートフォン３０１の送信部６２から送信された認証用音声データを受信する。
【００４６】
再生部５１は、受信部５０が受信した認証用音声データを再生する（Ｓ２２）。この再生は、スピーカ２００Ｌ，２００Ｒからの放音によって行われる。なお、再生部５１は、認証用音声データの１０秒間の再生時間が終わると、リピート再生を行ってもよい。さらに、リピート再生は、グループに参加するスマートフォンの台数が所定の台数以上となるまで行われてもよい。
【００４７】
スマートフォン３０２及びスマートフォン３０３のユーザは、ＡＶレシーバ１００が認証用音声データを再生している間（Ｓ２２）、スマートフォン３０２及びスマートフォン３０３をグループに参加させる操作を行う（Ｓ３１）。
【００４８】
スマートフォン３０２及びスマートフォン３０３は、グループに参加させる操作をタッチパネル３１が受け付けると（Ｓ３１）、照合用コンテンツを生成する（Ｓ３２）。具体的には、生成部７１は、マイク３７を使った１０数秒間の収音を行うことで、照合用コンテンツとして照合用音声データを生成する。この照合用音声データは、ＭＰ３規格で生成されてもよいし、ＷＡＶ形式で生成されてもよい。生成部７１は、ＡＶレシーバ１００が再生する認証用音声データに対して収音することで、認証用音声データと類似する照合用音声データを生成する。
【００４９】
そして、送信部７０は、生成部７１が生成した照合用音声データをＡＶレシーバ１００の受信部５０へ送信する（Ｓ３３）。ＡＶレシーバ１００の受信部５０は、照合用音声データを送信部７０から受信する（Ｓ２３）。
【００５０】
ＡＶレシーバ１００の認証部５２は、ステップＳ２１で受信した認証用音声データと、ステップＳ２３で受信した照合用音声データとが合致するか否かを判断する（Ｓ２４）。
【００５１】
両音声データが合致するか否かの判断は、各種従来技術によって行うことが可能である。例えば、認証部５２は、両音声データに対してケプストラム解析を行い、特徴量を抽出する。そして、認証部５２は、２つの特徴量の類似度を求め、所定の閾値以上の類似度の場合、認証用音声データと照合用音声データが合致すると判断する。この際、認証部５２は、当該閾値を変更することにより機密性の程度を調整することができる。
【００５２】
また、スピーカ２００Ｌ，２００Ｒから出力される音に情報が埋め込まれる場合、この情報を用いて両音声データが合致すると判断してもよい。例えば、スマートフォン３０１は、可聴域より高域（２０ｋＨｚ以上）に１２８ｂｉｔ長の認証情報が埋め込まれた音声データを、認証用音声データとしてＡＶレシーバ１００へ送信する。ＡＶレシーバ１００に接続されたスピーカ２００Ｌ，２００Ｒは、２０ｋＨｚ以上の高域を含む音を出力する。スマートフォン３０２の生成部７１は、マイク３７が収音した音の２０ｋＨｚ以上の帯域から情報を抽出する。そして、スマートフォン３０２の送信部７０は、抽出した情報を照合用コンテンツとしてＡＶレシーバ１００へ送信する。
【００５３】
送信部５３は、両音声データが合致すると認証部５２が判断する場合（Ｓ２４：Ｙ）、認証結果として参加可能の情報を送信する（Ｓ２５）。スマートフォン３０２及びスマートフォン３０３の受信部７２は、送信部５３から参加可能の情報を受信する（Ｓ３４）。これにより、スマートフォン３０２及びスマートフォン３０３は、ＡＶレシーバ１００に接続済みの端末のグループに参加する。従って、ＡＶレシーバ１００は、スマートフォン３０２およびスマートフォン３０３との情報の送受信を続行する。
【００５４】
なお、ＡＶレシーバ１００は、参加可能の情報の送信の際に、スマートフォン３０２及びスマートフォン３０３の識別情報をメモリ２に記憶することで、グループの情報を更新する。
【００５５】
送信部５３は、両音声データが合致しないと認証部５２が判断すると（Ｓ２４：Ｎ）、認証結果として参加不可の情報を送信する（Ｓ２６）。その後、参加不可の情報を受信したスマートフォンは、参加不可を示すエラー表示をディスプレイ３２に行う。ＡＶレシーバ１００は、参加不可の情報を送信したスマートフォンと情報の送受信を禁止する。なお、参加不可となったスマートフォンは、再度、照合用音声データを生成し、生成した照合用音声データをＡＶレシーバ１００へ送信することで、リトライ処理を行ってもよい。
【００５６】
スマートフォン３０１〜３０３は、グループへ参加すると、公開リストをＡＶレシーバ１００へ送信する。公開リストとは、スマートフォン３０１〜３０３が保有する音声データのうち、グループに参加済みの他のスマートフォンに公開可能な音声データのリストである。ＡＶレシーバ１００は、各公開リストを併合することで共有リストを作成する。ＡＶレシーバ１００は、作成した共有リストを、グループに参加済みのスマートフォン３０１〜３０３へ送信する。スマートフォン３０１〜３０３は、共有リストをディスプレイ３２に表示する。スマートフォン３０１〜３０３は、共有リストに含まれる音声データの名称（例えば楽曲名及びアーティスト名）を選択する操作をタッチパネル３１で受け付ける。すると、スマートフォン３０１〜３０３は、選択された音声データを再生する指示をＡＶレシーバ１００へ送信する。ＡＶレシーバ１００は、再生指示に示す音声データをスマートフォンから受信しつつ、受信した音声データの信号をスピーカ２００Ｌ，２００Ｒに出力することで、当該音声データを再生する。このように、スマートフォン３０１〜３０３は、他のスマートフォンが保有する音声データをＡＶレシーバ１００に再生させる。すなわち、スマートフォン３０１〜３０３は、自装置が保有する音声データを共有してＡＶレシーバ１００に再生させることができる。
【００５７】
ただし、グループに参加したスマートフォン３０１〜３０３は、コンテンツを共有して再生するのみに限らず、コンテンツに関する情報（例えばコンテンツの評価情報）を共有するだけであってもよい。
【００５８】
以上のように、本実施形態に係るコンテンツ再生システム９００は、コンテンツである音声データを認証用のキーとして用いている。従って、コンテンツ再生システム９００は、音声データが４桁のパスキーより情報量が多いので、機密性を高くしている。
【００５９】
スマートフォン３０２及びスマートフォン３０３のユーザは、照合用音声データが収音によって生成されるので、収音を指示する操作をするだけでよい。ただし、収音を指示する操作は省略されてもよい。従って、スマートフォン３０２及び３０３のユーザは、操作なしに、照合用音声データをスマートフォン３０２及び３０３に生成させることもできる。
【００６０】
このように、本実施形態に係るコンテンツ再生システム９００は、ＡＶレシーバ１００に接続済みの端末のグループへの参加の認証に対して、多桁のパスキーの入力等の煩雑な操作を不要としながらも機密性をより高くすることができる。
【００６１】
また、認証用音声データの音は、スピーカ２００Ｌ，２００Ｒから放音され、スピーカ２００Ｌ，２００Ｒから遠く離れた位置には到達しない。従って、照合用音声データは、スピーカ２００Ｌ，２００Ｒから遠く離れた位置では生成されることがない。これにより、コンテンツ再生システム９００は、スピーカ２００Ｌ，２００Ｒから遠く離れた位置に存在するスマートフォン（ＡＶレシーバ１００の再生環境の外に存在する）の参加を認証しないので、機密性をさらに高くすることができている。
【００６２】
なお、上述の例は、認証用コンテンツ及び照合用コンテンツとして、音声データを用いた。しかし、認証用コンテンツ及び照合用コンテンツは、音声データに限らず、画像データであってもよい。具体的には、コンテンツ再生システム９００は、認証用コンテンツ及び照合用コンテンツとして画像データを用いる場合、以下のように動作する。
【００６３】
スマートフォン３０１の取得部６０は、認証用画像データ（例えばＡＶレシーバ１００に再生させる楽曲のアルバム画像）を記憶部６１から読みだす。ＡＶレシーバ１００の受信部５０は、送信部６２が送信した認証用画像データを受信すると、認証用画像データを再生部５１へ出力する。再生部５１は、ＨＤＭＩ４を介して、認証用画像データを表示させる信号をテレビ２１０へ出力する。これにより、認証用画像データは、テレビ２１０で表示される。スマートフォン３０２の生成部７１は、カメラ３６を用いた撮像をテレビ２１０の表示画面に対して行うことで、照合用画像データを生成する。
【００６４】
そして、ＡＶレシーバ１００の認証部５２は、認証用画像データと照合用画像データとが合致するか否かの判断を行う。例えば、認証部５２は、２つの画像データに対し、ＲＧＢ空間における画素値の頻度を求める。そして、認証部５２は、それぞれの頻度のズレを最小二乗法で求め、ズレが所定閾値以下であれば、認証用コンテンツと照合用コンテンツとが合致すると判断する。
【００６５】
なお、認証部５２は、認証用画像データと照合用画像データの全体が類似する場合に限らず、２つの画像データの一部が類似する場合に、両画像データが合致すると判断してもよい。例えば、テレビ２１０は、認証用画像データとしてアーティストの全身画像を表示したとする。スマートフォン３０２及び３０３の生成部７１は、テレビ２１０に表示されたアーティストの全身のうち、顔のみを含む照合用画像データを生成する。認証部５２は、撮像された顔画像が、全身画像のうちの顔の部分と類似すれば、両画像データが合致すると判断する。これにより、スマートフォン３０２及び３０３のユーザは、アーティストの全身画像を撮像するためにカメラ３６の画角を調整する必要がない。従って、グループに参加するための操作は、カメラ３６の画角を調整する必要がないので、さらに簡単になる。
【００６６】
同様に、認証部５２は、照合用音声データに認証用音声データのうちのサビ部分の特徴量が含まれていると、２つの音声データが合致すると判断してもよい。これにより、スマートフォン３０２及びスマートフォン３０３は、認証用音声データの全体（例えば１０秒間）ではなく、サビ部分（例えば３秒間）を収音すればよい。従って、グループに参加するための操作は、収音時間を１０秒間にそろえる必要がないので、さらに簡単になる。
【００６７】
なお、コンテンツ再生システム９００は、認証用コンテンツ及び照合用コンテンツとして、音声データ及び画像データを含む動画データを用いてもよい。
【００６８】
次に、コンテンツ再生システム９００の動作の変形例１について図５及び図６を用いて説明する。図５は、変形例１の動作の概要を説明するための図である。図６は、変形例１の動作を示すフローチャートである。
【００６９】
この変形例１では、コンテンツ再生システム９００は、画像データを認証用コンテンツ及び照合用コンテンツとする。すなわち、図６のフローチャートにおけるステップＳ１２Ａ、Ｓ２１Ａ、Ｓ２２Ａ、Ｓ２３Ａ、Ｓ２４Ａ、Ｓ３２Ａ、及びＳ３３Ａは、音声データに代えて画像データを処理対象とする点において、図４に示すフローチャートの各ステップと相違する。また、図６のフローチャートは、ステップＳ１１Ａを実行する点においても図４のフローチャートと相違する。重複するステップの説明は省略する。
【００７０】
図５に示すように、オブジェクト９１０は、ＡＶレシーバ１００の設置環境であって、スマートフォン３０１の周囲環境に配置されている。図６に示すように、スマートフォン３０１の取得部６０は、カメラ３６を用いてオブジェクト９１０を撮像することで、認証用画像データを取得（生成）する（Ｓ１１Ａ）。この認証用画像データは記憶部６１に一時記憶され、その後、スマートフォン３０１とＡＶレシーバ１００とが接続を確立すると（Ｓ１１）、ＡＶレシーバ１００へ送信される（Ｓ１２Ａ）。
【００７１】
スマートフォン３０２及びスマートフォン３０３の生成部７１は、カメラ３６を用いてオブジェクト９１０を撮像することで、照合用コンテンツを生成する（Ｓ３２Ａ）。
【００７２】
この変形例１では、コンテンツ再生システム９００は、煩雑な操作を不要にしながらも、スマートフォン３０１と同じ環境に存在するスマートフォン３０２及び３０３をグループへ参加させるので、機密性を高くすることができる。
【００７３】
なお、スマートフォン３０１〜３０３は、図５に示すように、ＡＶレシーバ１００の筐体に印字された識別マーク１５０を撮像することで、認証用画像データ及び照合用画像データを生成してもよい。
【００７４】
また、認証用画像データ及び照合用画像データは、テレビ２１０に表示中の画像であってもよい。無論、スマートフォン３０１〜３０３は、スピーカ２００Ｌ，２００Ｒから出力中の音に対して収音することで、認証用音声データ及び照合用音声データを生成してもよい。
【００７５】
次に、コンテンツ再生システム９００の動作の変形例２に係る動作について図７を用いて説明する。図７は、変形例２に係る動作を示すフローチャートである。
【００７６】
この変形例２では、コンテンツ再生システム９００は、認証用音声データをスマートフォン３０１側で再生する点において、実施形態１に係るコンテンツ再生システム９００と相違する。
【００７７】
具体的には、図７に示すフローチャートは、スマートフォン３０１がステップＳ１２Ｂを実行する点、スマートフォン３０２がステップＳ３２Ｂを実行する点、および、ＡＶレシーバ１００がステップＳ２２を実行しない点において、図４に示すフローチャートと相違する。重複するステップの説明は省略する。
【００７８】
スマートフォン３０１は、スピーカ３８及びディスプレイ３２を用いることで、認証用コンテンツを再生する再生部を機能部として備えている。
【００７９】
図７のフローチャートに示すように、スマートフォン３０１は、認証用音声データをＡＶレシーバ１００へ送信すると（Ｓ１２）、スピーカ３８を用いて認証用音声データを再生する（Ｓ１２Ｂ）。そして、スマートフォン３０２及びスマートフォン３０３は、スマートフォン３０１によって再生された認証用音声データに対して収音を行うことで照合用音声データを生成する（Ｓ３２Ｂ）。ただし、スマートフォン３０１は、認証用音声データの再生ステップＳ１２Ｂを、認証用音声データの送信ステップＳ１２より先に実行してもよい。
【００８０】
この変形例２では、コンテンツ再生システム９００は、スマートフォン３０１側で再生される認証用音声データをスマートフォン３０２及びスマートフォン３０３が収音するので、スマートフォン３０１のスピーカ３８から出力される音が届く範囲に位置するスマートフォン３０２及びスマートフォン３０３をグループに参加させる。従って、この変形例では、コンテンツ再生システム９００は、スマートフォン３０１のユーザが視認できる範囲のスマートフォン３０２及びスマートフォン３０３の参加を認証するので、機密性をさらに高くすることができる。
【００８１】
なお、スマートフォン３０１は、認証用音声データに限らず、ディスプレイ３２を用いて認証用画像データを再生してもよい。この場合、スマートフォン３０２及びスマートフォン３０３は、カメラ３６を用いてスマートフォン３０１のディスプレイ３２に表示された画像を撮像する。
【００８２】
さらに、スマートフォン３０１は、次の変形例３に係る動作に示すように、認証用コンテンツを再生するだけでなく、ＡＶレシーバ１００の代わりに、グループへの参加を認証してもよい。すなわち、スマートフォン３０１は、認証部を機能部として備えてもよい。図８は、コンテンツ再生システム９００の動作の変形例３に係る動作を示すフローチャートである。
【００８３】
図８に示すフローチャートは、主に、認証処理に係るステップＳ１３〜Ｓ１６をスマートフォン３０１が実行する点、及び、認証用音声データがＡＶレシーバ１００へ送信されない点において図７に示すフローチャートと相違する。また、図８に示すフローチャートは、スマートフォン３０１及びＡＶレシーバ１００がステップＳ１１Ｃを実行する点、並びに、スマートフォン３０２及びＡＶレシーバ１００がステップＳ３５を実行する点において、図７に示すフローチャートと相違する。
【００８４】
図８に示すように、まず、スマートフォン３０１とＡＶレシーバ１００とは、接続を確立し、グループを作成すると（Ｓ１１）、パスワードを生成する（Ｓ１１Ｃ）。このパスワードは、スマートフォン３０２及びスマートフォン３０３がＡＶレシーバ１００に接続する際に用いられる。
【００８５】
スマートフォン３０２及びスマートフォン３０３は、照合用音声データを生成すると（Ｓ３２Ｂ）、生成した照合用音声データをスマートフォン３０１へ送信する（Ｓ３３Ｃ）。スマートフォン３０１は、スマートフォン３０２及びスマートフォン３０３から照合用音声データを受信する（Ｓ１３）。そして、スマートフォン３０１は、両音声データが合致するか否かの判断を行う（Ｓ１４）。この判断処理は、ＡＶレシーバ１００の認証部５２の判断処理と同じであるので、説明を省略する。
【００８６】
そして、スマートフォン３０１は、判断結果に応じて、認証結果（接続可能又は接続不可の情報）をスマートフォン３０２及びスマートフォン３０３へ送信する（Ｓ１５又はＳ１６）。スマートフォン３０２及びスマートフォン３０３は、スマートフォン３０１から認証結果を受信する（Ｓ３４Ｃ）。
【００８７】
スマートフォン３０１は、ステップＳ１１Ｃで生成したパスワードを参加可能の情報に含めて送信する（Ｓ１５）。この際、スマートフォン３０１は、スマートフォン３０２及びスマートフォン３０３の識別情報を記憶することで、グループの情報を更新する。すなわち、ＡＶレシーバ１００に接続済みの端末のグループの情報は、スマートフォン３０１によって管理される。スマートフォン３０２及びスマートフォン３０３は、参加可能の情報を受信すると（Ｓ３４Ｃ）、受信した情報からパスワードを抽出する。そして、スマートフォン３０２及びスマートフォン３０３は、このパスワードを用いてＡＶレシーバ１００と接続を確立する（Ｓ３５）。
【００８８】
以上のように、この変形例３では、コンテンツ再生システム９００は、ＡＶレシーバ１００に接続済みのスマートフォンのグループをスマートフォン３０１側で管理する。コンテンツ再生システム９００は、このようにグループをスマートフォン３０１が管理しても、当該グループへのスマートフォン３０２及びスマートフォン３０３の参加の認証に対して、煩雑な操作を不要としながらも機密性をより高くすることができる。
【００８９】
なお、コンテンツ再生システム９００は、認証用音声データの再生をＡＶレシーバ１００側で行い、認証処理をスマートフォン３０１側で行ってもよい。
【００９０】
上述のようにグループをスマートフォン３０１が管理することで、次の実施形態２に係るコンテンツ再生システム９００Ｄを実現することができる。
【００９１】
図９は、コンテンツ再生システム９００Ｄの概要を説明するための図である。コンテンツ再生システム９００Ｄは、作成済みのグループを持ち運び可能とする点において、実施形態１に係るコンテンツ再生システム９００と相違する。
【００９２】
図９に示すように、ＡＶレシーバ１００Ｄ１とＡＶレシーバ１００Ｄ２は、異なる場所に設置されている。スマートフォン３０１〜３０３は、移動前にはＡＶレシーバ１００Ｄ１の設置場所に位置している。
【００９３】
スマートフォン３０１は、スマートフォン３０２及びスマートフォン３０３がグループに参加すると、スマートフォン３０１〜３０３の識別情報（例えばＭＡＣアドレス）を含むグループ情報をメモリ３４に記憶する。
【００９４】
図９に示すように、スマートフォン３０１は、スマートフォン３０２及びスマートフォン３０３と共にＡＶレシーバ１００Ｄ２の設置場所へ移動すると、ＡＶレシーバ１００Ｄ２とグループの接続を一括して確立する。具体的には、スマートフォン３０１は、グループに参加している各スマートフォンのＭＡＣアドレスをＡＶレシーバ１００Ｄ２へ送信する。そして、スマートフォン３０１は、ＡＶレシーバ１００Ｄ２から接続パスワードを取得する。スマートフォン３０１は、取得したパスワードをグループに参加している他のスマートフォン３０２及びスマートフォン３０３へ送信する。スマートフォン３０２及びスマートフォン３０３は、この接続パスワードを用いてＡＶレシーバ１００Ｄ２と情報を送受信する。ＡＶレシーバ１００は、スマートフォン３０１から一括で送信された複数のＭＡＣアドレスのいずれかを有するスマートフォンと送受信を行う。
【００９５】
本実施形態に係るコンテンツ再生システム９００Ｄは、ＡＶレシーバ１００Ｄ２とグループの接続の確立を一括して行うので、接続確立のためのユーザの操作回数、及び通信回数を削減することができる。
【００９６】
次に、実施形態３に係るコンテンツ再生システム９００Ｅについて図１０及び図１１を用いて説明する。図１０は、コンテンツ再生システム９００Ｅの概要を説明するための図である。図１１は、認証情報装置３０１Ｅの構成の一部を示すハードウェアブロック図である。
【００９７】
実施形態１及び２に係るコンテンツ再生システム９００及び９００Ｄでは、スマートフォン３０１が認証用コンテンツを保有していた。これに対し、コンテンツ再生システム９００Ｅでは、ディスプレイ３２、カメラ３６及びマイク３７を備えない認証情報装置３０１Ｅが認証用コンテンツを保有する。
【００９８】
図１０に示すように、認証情報装置３０１Ｅは、ＡＶレシーバ１００と無線通信ができる範囲に設置されている。図１１に示すように、認証情報装置３０１Ｅは、プロセッサ３３と、メモリ３４と、ボタン３１Ｅと、無線モジュール３５と、を備えている。認証情報装置３０１Ｅのプロセッサ３３は、ボタン３１Ｅが押下されると、メモリ３４から認証用音声データを読みだす。読みだされた認証用音声データは、ＡＶレシーバ１００へ送信される。
【００９９】
このように、認証情報装置３０１Ｅは、認証用音声データをＡＶレシーバ１００へ送信するために、ディスプレイ３２、カメラ３６、及びマイク３７を備えなくてもよい。従って、本発明における第１利用者端末は、ディスプレイ３２、カメラ３６、及びマイク３７を備えなくてもよい。
【０１００】
上述の例は、コンテンツ再生装置として音声信号を外部のスピーカへ出力するＡＶレシーバを用いて説明したが、コンテンツ再生装置は、スピーカを備えるものであってもかまわない。また、コンテンツ再生装置は、室内に設置されるものに限らず、例えば車内に設置されるカーオーディオ装置であってもかまわない。
【符号の説明】
【０１０１】
９００，９００Ｄ，９００Ｅ…コンテンツ再生システム
１００，１００Ｄ１，１００Ｄ２…ＡＶレシーバ
２００Ｌ，２００Ｒ…スピーカ
２１０…テレビ
３０１，３０２，３０３…スマートフォン
３０１Ｅ…認証情報装置
１…ＣＰＵ
２…メモリ
３…ＤＳＰ
４…ＨＤＭＩ
５…無線モジュール
６…ＡＭＰ
３１…タッチパネル
３１Ｅ…ボタン
３２…ディスプレイ
３３…プロセッサ
３４…メモリ
３５…無線モジュール
３６…カメラ
３７…マイク
３８…スピーカ
５０…受信部
５１…再生部
５２…認証部
５３…送信部
６０…取得部
６１…記憶部
６２…送信部
７０…送信部
７１…生成部
７２…受信部
【図１】
2017092582.tif 000003
【図２】
2017092582.tif 000004
【図３】
2017092582.tif 000005
【図４】
2017092582.tif 000006
【図５】
2017092582.tif 000007
【図６】
2017092582.tif 000008
【図７】
2017092582.tif 000009
【図８】
2017092582.tif 000010
【図９】
2017092582.tif 000011
【図１０】
2017092582.tif 000012
【図１１】
2017092582.tif 000013